(57)【要約】【課題】注文に対する従業員の対応を支援する。【解決手段】注文品を少なくとも示す注文情報を店舗端末２０から受信する受信手段１１２と、店舗内に設置される出力装置４０−ｎ（ｎ＝１〜３）のうち、受信手段１１２により受信された注文情報の示す注文品の種類に対応して選択される出力装置４０−ｎにて注文情報が出力されるように、出力を制御する制御手段１１４と、を有する注文管理装置９０、を提供する。【選択図】図８
2020201597.tif 000002
【特許請求の範囲】
【請求項１】
注文品を少なくとも示す注文情報を受信する受信手段と、
店舗に設けられた複数の出力装置のうち前記受信手段により受信された注文情報の示す注文品に対応して選択される１以上の出力装置にて該注文情報が出力されるように、出力を制御する制御手段と、
を有する情報処理装置。
【請求項２】
前記制御手段は、前記受信手段により受信された注文情報の示す注文品の種類に対応する出力装置を、該注文情報の出力先として選択する
ことを特徴とする請求項１記載の情報処理装置。
【請求項３】
前記制御手段は、前記受信手段により受信された注文情報の送信元の端末に対応する出力装置を、該注文情報の出力先として選択する
ことを特徴とする請求項１または２記載の情報処理装置。
【請求項４】
前記注文情報は、注文品の品数または量を表し
前記制御手段は、前記受信手段により受信された注文情報の示す注文品の品数または量に応じた出力装置を、該注文情報の出力先として選択する
ことを特徴とする請求項１〜３のいずれか一つに記載の情報処理装置。
【請求項５】
一の注文情報において複数の注文品が指定され、
前記制御手段は、前記受信手段により受信された注文情報の示す注文品の組み合わせに対応する出力装置を、該注文情報の出力先として選択する
ことを特徴とする請求項１〜４のいずれか一つに記載の情報処理装置。
【請求項６】
前記店舗の稼働状況を示す情報を取得する取得手段を更に備え、
前記制御手段は、前記取得手段により取得された情報の示す稼働状況に応じた出力装置を、前記受信手段により受信された注文情報の出力先として選択する
ことを特徴とする請求項１〜５のいずれか一つに記載の情報処理装置。
【請求項７】
前記複数の出力装置の各々は、印刷機能と表示機能の少なくとも一方を有し、
前記制御手段は、前記受信手段により受信された注文情報の示す注文品に対応する機能を有する出力装置を、該注文情報の出力先として選択する
ことを特徴とする請求項１〜６のいずれか一つに記載の情報処理装置。
【請求項８】
前記制御手段は、前記受信手段により受信された注文情報の示す注文品の提供条件に適合する出力装置を、該注文情報の出力先として選択する
ことを特徴とする請求項１〜７のいずれか一つに記載の情報処理装置。
【請求項９】
前記複数の出力装置は第１の店舗および第２の店舗に設けられ、前記制御手段は、前記第１の店舗に設けられた出力装置を優先的に選択し、前記第１の店舗において前記受信手段により受信された注文情報の示す注文品の提供を実行できない場合、前記第２の店舗に設けられた出力装置のなかから、該注文情報の出力先を選択する、
ことを特徴とする請求項１〜７のいずれか一つに記載の情報処理装置。
【請求項１０】
コンピュータに、
注文品を少なくとも示す注文情報を受信する受信ステップと、
店舗に設けられた複数の出力装置のうち前記受信ステップにて受信された注文情報の示す注文品に対応して選択される１以上の出力装置、にて該注文情報が出力されるように、出力を制御する制御ステップと、
を実行させるプログラム。
【発明の詳細な説明】
【技術分野】
【０００１】
本発明は、情報処理装置およびプログラムに関する。
【背景技術】
【０００２】
近年、飲食店における人手不足が深刻となっている。他方、顧客の注文態様の多様化や店側が提供するサービスの多様化に伴い、接客担当者や調理担当者などを含む従業員の負担が増加している。このような観点から、飲食店における担当者の負担を軽減しサービスの低下を招かないようにするための仕組みが提案されている（特許文献１等）。
【０００３】
特許文献１には、厨房に設置される表示装置（キッチンモニタ）と注文入力装置とを具備するオーダリングシステムの発明が開示されている。このオーダリングシステムでは、注文入力された商品の調理指示が複数の表示態様（単品表示態様、注文単位別表示態様、マトリクス表示態様）のいずれかで表示装置に表示され、商品の調理が完了すると、完了した調理指示に対応する商品の配膳指示が表示装置に表示される。
【先行技術文献】
【特許文献】
【０００４】
【特許文献１】特開２０１９−０６７４６３号公報
【発明の概要】
【発明が解決しようとする課題】
【０００５】
飲食店によっては、キッチンモニタやキッチンプリンタのように注文情報を受信可能な端末が店舗内の複数の場所に複数設置されている場合がある。このような場合、例えば、入力された注文情報を全ての端末に送信した場合と、各担当者が自らの担当するべき注文品をチェックすることが煩雑になり、注文情報のチェックミスが発生し易くなる。注文情報のチェックミスは注文品が提供されない、あるいは重複提供されるといった事態の要因となる。このような注文情報の確認作業に関する問題は、飲食店にとどまらない。
【０００６】
本発明は、注文に対する従業員の対応を支援することを目的とする。
【課題を解決するための手段】
【０００７】
上記課題を解決するために、本発明は、注文品を少なくとも示す注文情報を受信する受信手段と、店舗に設けられた複数の出力装置のうち前記受信手段により受信された注文情報の示す注文品に対応して選択される１以上の出力装置にて該注文情報が出力されるように、出力を制御する制御手段と、を有する情報処理装置、を提供する。
【０００８】
より好ましい態様の情報処理装置においては、前記制御手段は、前記受信手段により受信された注文情報の示す注文品の種類に対応する出力装置を、該注文情報の出力先として選択する、ようにしてもよい。
【０００９】
別の好ましい態様の情報処理装置においては、前記制御手段は、前記受信手段により受信された注文情報の送信元の端末に対応する出力装置を、該注文情報の出力先として選択する、ようにしてもよい。
【００１０】
また、別の好ましい態様の情報処理装置においては、前記注文情報は、注文品の品数または量を表し、前記制御手段は、前記受信手段により受信された注文情報の示す注文品の品数または量に応じた出力装置を、該注文情報の出力先として選択する、ようにしてもよい。
【００１１】
また、別の好ましい態様の情報処理装置においては、一の注文情報において複数の注文品が指定され、前記制御手段は、前記受信手段により受信された注文情報の示す注文品の組み合わせに対応する出力装置を、該注文情報の出力先として選択する、ようにしてもよい。
【００１２】
また、別の好ましい態様の情報処理装置においては、前記店舗の稼働状況を示す情報を取得する取得手段を更に備え、前記制御手段は、前記取得手段により取得された情報の示す稼働状況に応じた出力装置を、前記受信手段により受信された注文情報の出力先として選択する、ようにしてもよい。
【００１３】
また、別の好ましい態様の情報処理装置においては、前記複数の出力装置の各々は、印刷機能と表示機能の少なくとも一方を有し、前記制御手段は、前記受信手段により受信された注文情報の示す注文品に対応する機能を有する出力装置を、該注文情報の出力先として選択する、ようにしてもよい。
【００１４】
また、別の好ましい態様の情報処理装置においては、前記制御手段は、前記受信手段により受信された注文情報の示す注文品の提供条件に適合する出力装置を、該注文情報の出力先として選択する、ようにしてもよい。
【００１５】
また、別の好ましい態様の情報処理装置においては、前記複数の出力装置は第１の店舗および第２の店舗に設けられ、前記制御手段は、前記第１の店舗に設けられた出力装置を優先的に選択し、前記第１の店舗において前記受信手段により受信された注文情報の示す注文品の提供を実行できない場合、前記第２の店舗に設けられた出力装置のなかから、該注文情報の出力先を選択する、ようにしてもよい。
【００１６】
また、上記課題を解決するために、本発明は、コンピュータに、注文品を少なくとも示す注文情報を端末から受信する受信ステップと、店舗に設けられた複数の出力装置のうち前記受信ステップにて受信された注文情報の示す注文品に対応して選択される１以上の出力装置にて注文情報が出力されるように、出力を制御する制御ステップと、を実行させるプログラム、を提供する。上記プログラムは、ＣＤ−ＲＯＭ（Compact Disc Read Only Memory）やＤＶＤ（Digital Versatile Disc）、メモリカードなどのコンピュータ読み取り可能な記録媒体に書き込んで配布してもよいし、インターネットなどの電気通信回線経由を介してダウンロードさせてもよい。
【発明の効果】
【００１７】
本発明によれば、注文に対する従業員の対応が支援される。
【図面の簡単な説明】
【００１８】
【図１】本発明の一実施例によるオーダリングシステム１の概要を示す図である。
【図２】注文情報の一例を示す図である。
【図３】注文管理装置９０のハードウェア構成例を示す図である。
【図４】店舗情報テーブルの一例を示す図である。
【図５】注文管理装置９０の機能構成例を示す図である。
【図６】出力制御装置４０１のハードウェア構成例を示す図である。
【図７】出力制御テーブルの一例を示す図である。
【図８】出力制御装置４０１の機能構成例を示す図である。
【図９】同実施例の動作例である。
【図１０】本発明の他の実施例に係るオーダリングシステム１Ａの概要を示す図である。
【図１１】注文管理装置９０Ａの機能構成例を示す図である。
【図１２】出力制御テーブルの他の例を示す図である。
【図１３】同システムの動作例を示す図である。
【発明を実施するための形態】
【００１９】
以下、図面を参照しつつ本発明の実施例を説明する。
＜１．構成＞
図１は、本発明の一実施例によるオーダリングシステム１の概要を示す図である。オーダリングシステム１は、飲食店Ｘ（以下、単に「店Ｘ」と呼ぶ）の店舗内に構築される店舗システム１００−１を含む。同図の例では、店Ｘとは異なる店Ｙの店舗内にも同様の店舗システム１００−２が設けられている。なお、店舗システム１００-１および１００-２は、設けられた出力装置４０の数や出力装置４０の詳細な機能は異なっていてもよいが、自店舗宛の注文を出力装置４０から選択的に出力する機能(詳細は後述する)を有する点で共通する。
図１に示すように、各店舗システム１００は、店舗端末２０と、売り上げ管理装置３０と、出力装置４０−１〜４０−３と、各出力装置に接続された出力制御装置４０１-１〜４０１−３とを備える。
店舗システム１００は、更に、注文管理装置９０、ユーザ端末７０−１および７０−２、注文代行業者サーバ８０を有する。なお、ユーザ端末７０−１は、店外にいるユーザが所有する携帯端末であり、ユーザ端末７０-２は、店Ｘに来店したユーザが所有する携帯端末を意味する。
【００２０】
図１に示すように、売り上げ管理装置３０は、店Ｘの店舗内に設けられた店舗内ＬＡＮ（Local Area Network）５０に接続される。店舗内ＬＡＮ５０は有線ＬＡＮであってもよいし、無線ＬＡＮであってもよい。また、店舗内ＬＡＮ５０は、ルータあるいはゲートウェイ等の中継装置（図１では図示略）を介して移動通信網を含むインターネット６０に接続されている。
【００２１】
店舗端末２０は、タッチパネルを搭載したコンピュータ、あるいは各接客担当者が携帯する入力端末として実現され、店Ｘに来店し料理等を注文する顧客の注文内容を、顧客または接客担当者によって入力させるための装置である。店舗端末２０は、接客担当者による入力に応じて顧客の注文内容を示す注文情報を生成し、注文管理装置９０および売り上げ管理装置３０へ送信する。なお、図１では、便宜上、店舗端末２０は一つのみ例示されているが、複数の店舗端末２０が店舗システム１００に含まれてもよい。同様に、ユーザ端末７０−２の数も任意である。
【００２２】
図２は、注文情報の一例を示す図である。この例では、注文情報には、注文内容を示す情報（この例では、注文品の種類を示す情報、注文品を一意に示す注文品識別情報、注文品の品数または量を示す情報）、注文元を示す情報（この例では、注文なされた顧客がいる店および当該顧客が着席しているテーブル）、付帯情報（この例では、注文時刻を示す情報、および注文品の提供条件を示す情報）等が含まれている。その他、注文元と提供先が異なる場合（例えば店外で注文して店内で商品やサービス提供を受けるような注文態様）は、提供先についての情報が注文情報に含まれていてもよい。
ここで、注文情報には少なくとも、注文品識別情報を特定する情報および注文元を示す情報が含まれていればよい。なお、一つの注文情報には、１種類の注文品に関する情報のみが含まれてもよいし、複数種の注文品(注文品の組み合わせ)に関する情報が含まれてもよい。
ここで、注文品の種類とは、食べ物／飲み物といった区分のほか、西洋料理／和風料理、ソフトドリンク／アルコールといったジャンルでもよい。要するに、店舗内の提供場所ないし担当者など、その店舗の業務体制に対応じて種類の区分を規定することができる。
注文品識別情報の一例としては、メニューにおける掲載順等に応じて予め注文品に付与された一連番号等の注文品ＩＤまたは注文品の名称を示す文字列が挙げられ、本実施例では後者が採用されている。注文元を示す情報の例としては、注文元である顧客の着席しているテーブルを示す情報や店舗端末２０の識別子、ユーザ端末７０−１の通信アドレス、注文代行業者サーバ８０の通信アドレスであってもよい。
【００２３】
ここで、店舗内のテーブルにいる顧客がユーザ端末７０−２を用いて注文を行う場合は、一例として、以下のようにして注文元情報を注文情報に内包させる。顧客は例えば店舗側から提供される、提供可能品の一覧（メニュー）の表示、注文の入力、入力された注文に基づく注文情報を生成および情報処理装置への送信を行うためのアプリケーションプログラムをインストールしておく。顧客は、着席すると、当該アプリケーションプログラムを起動し、テーブルに貼られ各テーブルを一意に識別するテーブル番号が内包されたＱＲコード（登録商標）を、ユーザ端末７０を用いて読取る。読取ったテーブル番号は当該アプリケーションプログラムに引き渡される。以後、当該アプリケーションプログラムは、全ての注文情報に読取ったテーブル番号を内包させる。
【００２４】
提供条件の一例としては、テイクアウトまたはイートインであるか、提供時刻の定めがあるか等が挙げられる。テイクアウトとは、注文品を店内から持ち出して店外で食べられるように注文品を提供する態様をいい、イートインとは、店内で飲食できるように注文品を提供する態様をいう。
【００２５】
本実施例の店舗システム１００では、店舗端末２０の他にインターネット６０に接続可能なユーザ端末７０−１（例えば、スマートフォン）、またはインターネット６０に接続される注文代行業者サーバが注文情報の送信元となり得る。具体的には、ユーザ端末７０を所有する顧客が、テイクアウトを所望する飲食物に関する情報を来店前に店Ｘのポータルサイト等から入力する態様、来店後、テーブルに着席した後に店Ｘのメニュー情報にアクセスして注文品を選択する態様等が挙げられる。なお、ユーザ端末７０のユーザによる来店後のメニュー情報のアクセスを容易にするために、ＱＲコードにメニュー画面にアクセスするための情報（ＵＲＬ等）が内包されてもよい。
【００２６】
売り上げ管理装置３０は、インターネット６０または店舗内ＬＡＮ５０を介して受信する注文情報に基づいて注文品の売上実績を単品単位で集計する装置である。売り上げ管理装置３０については、一般的なＰＯＳ（Point of sale system）におけるものと特段に変わるところはないため、詳細な説明を省略する。
【００２７】
出力装置４０−１〜４０−３の各々は、店Ｘの店舗内に設置され、従業員が主に注文内容の確認のために使用する端末である。出力装置４０−１〜４０−３の各々は、有線または無線により、注文管理装置９０に接続される。好ましくは、出力装置４０−１〜４０−３の各々は、受信した注文情報を画面表示する表示機能と同注文情報を印刷用紙等の記録媒体に印刷する印刷機能の少なくとも一方を有する。なお、画面への文字や画像の表示に替えておよび加えて、合成音声などの音声を用いて注文情報を従業員に通知するものであってもよい。以下では、出力装置４０−１〜４０−３の各々を区別する必要が無い場合には、「出力装置４０」と表記する。表示機能を有する出力装置４０の具体例としてはキッチンモニタが挙げられる。印刷機能を有する出力装置４０の具体例としてはキッチンプリンタが挙げられる。
また、各出力装置４０には、出力制御装置４０１と有線または無線により情報の授受を行うための通信インタフェースが設けられている。各出力装置４０は、出力制御装置４０１と接続された状態で使用され、出力制御装置４０１から供給される制御信号に基づいて動作する。
各出力制御装置４０１は、インターネット６０を介して注文情報を注文管理装置９０から取得し、取得した注文情報に基づいて制御信号を生成して出力装置４０に供給する。一例として、出力制御装置４０１は、インターネット６０に４Ｇ等の移動通信網を介して接続する一方、出力装置４０とはBluetooth（登録商標）などの近距離無線通信規格に従ってそれぞれ情報の授受を行う。出力制御装置４０１は、例えばスマートフォンなどの携帯型の情報処理装置として実現される。なお、出力装置４０および出力制御装置４０１はハードウェアとして一体に構成されたいわゆるＩｏＴ機器であってもよい。
【００２８】
本実施例では、出力装置４０−１〜４０−３の各々は、店Ｘの店舗内の所定の場所に設置される。例えば、店Ｘの店舗内が１階フロアと２階フロアとに区分けされ、１階フロアにはイートインの顧客が飲食を行うためのテーブルが設置されたホールＡとテイクアウト用の料理を調理するためのキッチンＢとが、２階フロアにはイートイン向けの料理等を調理するためのキッチンＣが設けられていたとする。この場合、出力装置４０−１はホールＡに、出力装置４０−２はキッチンＣに、出力装置４０−３はキッチンＢにそれぞれ設置されることが考えられる。なお、出力装置４０は、携帯型の端末であってもよい。また、本実施例の店舗システム１００には、３つの出力装置４０が含まれているが、出力装置４０の個数は例示にすぎない。
【００２９】
注文管理装置９０は、インターネット６０を介して注文情報を受信し、受信した注文情報を、注文先ごとに振り分ける装置である。具体的には、注文管理装置９０は、注文情報を、注文先の店の店舗システム１００内の出力制御装置４０１−１〜４０１−３のいずれか１つ以上（好ましくは全て）に送信する。
【００３０】
図３は、注文管理装置９０のハードウェア構成例を示す図である。図３に示すように、注文管理装置９０は、プロセッサ１１０と、メモリ１２０と、ストレージ１３０と、通信Ｉ／Ｆ部１４０とを備える。図３に示すように、これらの装置は、バス１５０を介して接続されている。
【００３１】
プロセッサ１１０は、プログラムをメモリ１２０に読み出して実行することにより、各種の処理を実行する。例えばプロセッサ１１０は、ＣＰＵ（Central Processing Unit）により構成されてもよい。メモリ１２０は、プロセッサ１１０により実行されるプログラムを記憶する。例えばメモリ１２０は、ＲＯＭ（Read Only Memory）またはＲＡＭ（Random Access Memory）により構成されてもよい。
ストレージ１３０は、各種のデータおよびプログラムを記憶する。例えばストレージ１３０は、ハードディスクドライブまたはフラッシュメモリにより構成される。ストレージ１３０には、本実施例の特徴を顕著に示す制御をプロセッサ１１０に実現させる制御プログラムが予め記憶されている。加えて、図４に示すように、ストレージ１３０には、店舗情報テーブルが記憶される。店舗情報テーブルは、各店に対応付けて、その店に設置された全ての出力装置４０に対応する出力制御装置４０１に接続するための情報が記憶される。同図の例では、店Ｘ（店舗システム１００-１）には３台の出力制御装置４０１が対応付けられ、店Ｙ（店舗システム１００−２）には２台の出力制御装置４０１が対応付けられている。通信Ｉ／Ｆ部１４０は、インターネット６０を介したデータ通信を行う。
【００３２】
図５は、注文管理装置９０の機能構成例を示す図である。
注文管理装置９０は、受信手段１０２と注文管理手段１０４とを備える。同図における受信手段１０２と注文管理手段１０４は、ストレージ１３０に記憶された制御プログラムと、この制御プログラムを実行するプロセッサ１１０との協働により、プロセッサ１１０の演算により実現されるソフトウェアモジュールである。プロセッサ１１０は、制御プログラムをストレージ１３０からメモリ１２０に読み出してその実行を開始し、受信手段１１２および制御手段１１４として機能する。
【００３３】
受信手段１０２は、インターネット６０を介して端末（店舗端末２０、ユーザ端末７０または注文代行業者サーバ８０）から送信された注文情報を受信する。注文管理手段１０４は、店舗情報テーブルを参照して、受信した注文情報に含まれる注文元情報によって特定される店に対応付けられた全ての出力制御装置４０１へ、当該注文情報を転送する。
なお、注文元情報とは別に注文先についての情報が注文情報に含まれていた場合、注文先情報に従って転送先を決定する。
加えて、注文管理装置９０は、各店舗システム１００に係る３０が有する少なくとも一部の情報（注文情報や会計に関する情報など）を記憶し、店舗システム１００からの要求に応じて返信するする機能を有していてもよい。更に、注文管理装置９０は、各店舗システム１００が設置された店舗の全てのメニュー情報を有し、ユーザ端末７０や注文代行業者サーバ８０からの要求に応じて各店舗のメニュー情報を提供する機能を有していてもよい。
【００３４】
図６は、出力制御装置４０１のハードウェア構成例を示す図である。同図に示すように、出力制御装置４０１は、プロセッサ１１０と、メモリ１２０と、ストレージ１３０と、通信Ｉ／Ｆ部１４０とを備える。これらの装置は、バス１５０を介して接続されている。
【００３５】
プロセッサ１１０は、プログラムをメモリ１２０に読み出して実行することにより、各種の処理を実行する。例えばプロセッサ１１０は、ＣＰＵ（Central Processing Unit）により構成されてもよい。メモリ１２０は、プロセッサ１１０により実行されるプログラムを記憶する。例えばメモリ１２０は、ＲＯＭ（Read Only Memory）またはＲＡＭ（Random Access Memory）により構成されてもよい。ストレージ１３０は、各種のデータおよびプログラムを記憶する。ストレージ１３０は、例えば半導体メモリである。
ストレージ１３０には、本実施例の特徴を顕著に示す制御をプロセッサ１１０に実現させる制御プログラムが予め記憶されている。通信Ｉ／Ｆ部１４０は、インターネット６０を介したデータ通信を行う。加えて、ストレージ１３０には、受信した注文情報に応じて自装置が担当する出力装置４０をどのように制御するのかを規定する情報が記憶される。
図７は、ストレージ１３０に記憶された出力制御テーブルの一例である。店舗情報テーブルは、注文品の種別に対応する制御内容が記述される。この例では、当該出力制御装置４０１においては、受信した注文情報が飲み物である場合は当該注文情報を出力装置４０-１へ出力する命令を送出し、料理である場合または簡易メニューである場合は当該注文情報を出力しないことが規定されている。なお、一の注文情報に異なる注文種別が含まれている場合は、注文情報のうち出力すべき注文品についての情報のみを抽出して制御信号を生成する。
【００３６】
図８は、出力制御装置４０１の機能構成例を示す。
出力制御装置４０１は、受信手段１１２と制御手段１１４とを備える。同図における受信手段１１２と制御手段１１４は、ストレージ１３０に記憶された制御プログラムと、この制御プログラムを実行するプロセッサ１１０との協働により、プロセッサ１１０の演算により実現されるソフトウェアモジュールである。プロセッサ１１０は、制御プログラムをストレージ１３０からメモリ１２０に読み出してその実行を開始し、受信手段１１２および制御手段１１４として機能する。
【００３７】
受信手段１１２は、注文管理装置９０から６０を介して注文情報を受信する。制御手段１１４は、店舗に設けられた複数の出力装置４０のうち受信手段１１２により受信された注文情報が示す注文品に対応して選択される１以上の出力装置４０にて注文情報が出力されるように、出力を制御する。具体的には、制御手段１１４は、出力制御テーブルを参照して、該受信した注文情報に記述された注文品の種別に対尾する制御内容を決定し、決定した内容に従って、必要に応じて制御信号を生成して出力装置４０に供給する。
制御手段１１４による制御の具体的な態様としては、以下に述べる第１〜第５の態様、およびこれら５つの態様のうちの任意の複数の組み合わせが考えられる。なお、各態様において、実現したい制御内容に応じて、注文情報と制御内容との関係を出力制御テーブルに予め記述しておけばよい。
【００３８】
第１の態様では、各出力制御装置４０１に係る制御手段１１４によって、各出力制御装置４０１の受信手段１１２により受信された注文情報の示す注文品の種類に対応する出力装置４０が、該注文情報の出力先として選択される。具体的には、各出力制御装置４０１の制御手段１１４は、自装置が有する出力制御テーブルを参照して注文情報の出力の有無を決定する。
例えば、受信手段１１２により受信された注文情報の示す注文品のうち、飲み物についてはホールＡの端末（すなわち、出力装置４０−１）から、料理一般についてはキッチンＣの端末（すなわち、出力装置４０−３）から、料理一般に比較して調理が簡単な簡易メニュー（例えば、盛り付けるだけ、電子レンジで温めるだけなど）についてはキッチンＢの端末（すなわち、出力装置４０−２）から、それぞれ出力される。
【００３９】
当該第１の態様においては、更に出力装置４０の機能を考慮して注文情報の出力先が決定されてもよい。例えば、料理に関する注文情報については、当該注文情報が必ず印刷されるように、その出力先として印刷機能を有する出力装置４０を設定しておき、飲み物に関する注文情報については、当該注文情報が画面表示されるように、その出力先として表示機能を有する出力装置４０を設定しておけばよい。具体的には、各出力制御装置４０１に記憶される出力制御テーブルに、自装置に接続された出力装置４０の機能を考慮した制御内容を記述しておけばよい。
なお、出力制御テーブルについては上記制御プログラムに埋め込んでおいてもよいし、制御プログラムとは別個にストレージ１３０に記憶させておいてもよい。
【００４０】
第２の態様では、制御手段１１４は、注文情報の送信元の端末に対応する出力装置４０が、該注文情報の出力先として選択される。具体的には、各出力制御装置４０１の制御手段１１４は、注文情報の送信元が、店舗端末２０、ユーザ端末７０-１、７０-２、注文代行業者サーバ８０のいずれであるのかに応じて、各出力装置４０への注文情報の出力の可否を決定する。
例えば、まず、注文情報の送信元の種別を示す情報に対応付けて当該情報の示す送信元からの注文情報の出力先となる店舗端末２０を示す情報が記述された出力制御テーブルを各出力制御装置４０１のストレージ１３０に予め記憶させておく。そして、各制御手段１１４には、注文情報に内包された送信元の識別情報に基づいて送信元を特定し、上記出力制御テーブルを参照して、受信手段１１２により受信された注文情報の出力装置４０への送信の可否を決定する。なお、注文情報の送信元がユーザ端末７０-１である場合には、当該ユーザ端末７０−１の位置情報を制御手段１１４に取得させ、当該ユーザ端末７０-２が店内に位置しているのか、店外に位置しているのかに応じて注文情報の出力の可否を決定してもよい。
この態様によれば、例えば、注文元ごとに処理担当者が定められている業務体制の場合、各担当者は自分の担当する出力装置のみをチェックすれば足りる。
【００４１】
第３の態様では、各出力制御装置４０１の受信手段１１２により受信された注文情報の示す注文品の品数または量に対応する出力装置４０が、該注文情報の出力先として選択される。例えば、飲み物または料理については、原則的には、図７に例示する出力制御テーブルの格納内容に従って注文情報の出力の可否が決定されるが、注文品の品数または量が予め定められた閾値を上回っている場合であって、注文品に対応できるフロアが複数ある場合などは、例外的に、出力装置４０−１に替えてまたは加えて、出力装置４０−２が出力先として選択されるように、各出力制御装置４０１に格納された出力制御テーブルにおいて、品数または量に出力の可否が依存するように制御内容を記述してもよい。
なお、同一の注文情報を複数の出力装置４０から出力させる場合は、注文情報に、同一の注文情報を共有している他の出力装置４０の情報や当該注文を複数のフロアでどのように分担すべきかを示す情報を内包させ、注文情報に加えて当該情報も出力装置４０から出力させてもよい。これにより、注文情報に対する処理を複数のフロアにいる従業員が協力して行うことが支援される。
【００４２】
第４の態様では、各受信手段１１２により受信された注文情報の示す注文品の組み合わせに対応する出力装置４０が、該注文情報の出力先として選択される。具体的には、注文情報の示す注文品の組み合わせに対応付けて当注文情報の出力の可否を格納した出力制御テーブルをストレージ１３０に予め記憶させておく。各制御手段１１４は、当該出力制御テーブルを参照して、該受信した注文情報の出力の可否を決定するようにすればよい。例えば、複数の厨房のうち一つの厨房は、セットメニューなど特定の料理の組み合わせを提供するのみ適した従業員体制を予め構築しておき、当該特定の料理の組み合わせの注文は当該厨房に設けられた出力装置４０のみ通知し、単品で注文があった場合には料理品の種類に対応する出力装置へ通知するといった運用が考えられる。
【００４３】
第５の態様では、受信手段１１２により受信された注文情報の示す注文品の提供条件に適合する出力装置４０が、該注文情報の出力先として選択される。提供条件とは、例えば、テイクアウトまたはイートインなどの提供の態様に関する条件、注文品の提供タイミングに関する情報（例えば同一のテーブルから複数の品が注文された場合に当該複数の品を同一のタイミングで提供するという条件）である。例えば、店Ｘの１階フロアと２階フロアのそれぞれにドリンクマシーンがあり、注文されたドリンクの用意はいずれのドリンクマシーンによっても可能である場合において、ドリンクについてはより迅速に提供されるように、注文元の顧客が１階フロアにいる場合には１階フロアの出力装置４０が注文情報の出力先として選択されるように、各出力制御装置４０１の出力制御テーブルの内容を記述しておく。
【００４４】
上記各態様において、注文情報の出力先を決定するに際し、注文品と出力先との対応関係が記述されたテーブルを用いる以外のアルゴリズムを用いてよい。また、このアルゴリズムはルールベースのものに限らず、注文の内容や条件に応じて最も効率的な業務が実現されるように機械学習させて得られた学習済みモデルであってもよい。
【００４５】
また、各出力制御装置４０１において制御プログラムに従って動作するプロセッサ１１０は、受信ステップと制御ステップとを含む方法を実行する。受信ステップでは、各出力制御装置４０１の受信手段１１２は、それぞれ店舗端末２０、ユーザ端末７０-１または７０-２、または注文代行業者サーバ８０から注文情報を受信する。制御ステップでは、各出力制御装置４０１の制御手段１１４が協働して、複数の出力装置４０のうち受信ステップＳＡ１００にて受信された注文情報の示す注文品に対応して選択される１以上の出力装置４０にて注文情報が出力されるように、出力を制御する制御手段として機能する。
【００４６】
＜２．動作＞
図９は同システムの動作例を示す。
この例では、店舗システム１００が設けれた店Ｘに来店した顧客が、自身の有するスマートフォン(ユーザ端末７０-２)を用いて注文を行う。
顧客は、注文管理装置９０等が提供するアプリケーションプログラムを実行し、注文管理装置９０にアクセスしてその店舗のメニュー情報にアクセスし、ユーザ端末７０にメニューが画面を表示させる（ＳＢ１１０）。そして、顧客が着席したテーブルに貼られたＱＲコードをスマートフォンで撮影する。このＱＲコードにはその店舗の識別子およびテーブル番号が内包されている。
以降、店舗の識別子およびテーブル番号は、顧客がスマートフォンを用いて注文を入力した場合に生成され、当該アプリケーションから注文管理装置９０に送信するされる注文情報に内包される。これにより、注文管理装置９０は注文元（提供先）を認識する。
顧客がスマートフォンを操作して注文を行って（ＳＢ１２０）、注文情報を注文管理装置９０が受信すると（ＳＢ１３０）、注文管理装置９０は注文情報を記憶する（ＳＢ１４０）。そして、注文管理装置９０は当該注文情報から特定される注文情報を転送先の店を決定する（ＳＢ１５０）。そして、該決定した店の出力制御装置４０１の全てに注文情報を送信する（ＳＢ１７０）。注文情報を受信した各出力制御装置４０１は出力制御を行い、条件が適合する場合は、出力装置４０から注文情報を出力させる。
【００４７】
前述したように、本実施例では、各出力制御装置４０１のストレージ１３０には図７に示す出力制御テーブルが予め記憶されており、各プロセッサ１１０によって、前述の第１の態様で注文品の種類に対応する出力装置４０が選定される。本動作例において、店舗端末２０から送信された注文情報の示す注文品の種別は簡易メニューであり、簡易メニューに対して出力が可能なのは出力装置４０−２のみとなっている。よって、送信された注文情報は出力装置４０−２からのみ出力される。キッチンＢにおいて調理を行う簡易メニューの調理担当者は、出力装置４０−２から出力される注文情報から注文品と提供先を確認し、当該簡易メニューの調理を行い、自らもしくは接客担当者に指示して、提供先（注文者の顧客）に提供する。
【００４８】
その後、店舗システム１００の売り上げ管理装置３０から、店舗および提供先の情報（例えばテーブル番号）が内包された会計要求を受信すると、注文管理装置９０は、当該提供先に関連付けられた注文情報をストレージ１３０から抽出し、必要に応じて、予め注文管理装置９０が記憶している価格情報などを用いて、抽出した注文情報に対応する会計情報を生成し、該生成された会計情報を当該売り上げ管理装置３０へ送信してもよい。
【００４９】
本実施例によれば、簡易メニューに関する注文情報が、キッチンＣに設置されている出力装置４０−３に転送されることはないので、キッチンＣにて簡易メニューが重複して調理されるといった事態が発生することはない。この際、簡易メニューの調理担当者はキッチンＢに設置されている出力装置４０−２についてのみを確認すればよく、出力装置４０−１および出力装置４０−３を確認する必要はない。同様に、料理の調理担当者はキッチンＣに設置されている出力装置４０−３についてのみその出力を確認すればよく、出力装置４０−１および出力装置４０−２の出力を確認する必要はない。
【００５０】
本実施例によれば、注文品の種類に応じて予め定められた出力装置のみに当該注文品に関する情報が出力される。換言すると、各担当者には自身が処理を行わねばならない注文のみが通知される。これにより、注文品のチェックに要する担当者の手間が軽減され、注文品の提供し忘れや注文品が重複提供される等のチェックミスに起因する不具合の発生を低減させることができる。
【００５１】
＜３．変形例＞
上記実施例に対し、以下に示す変形を加えてもよい。各変形の態様は組み合わせて用いられてもよい。
【００５２】
上記実施例では、一つの出力制御装置４０１に一つの出力装置４０が対応したが、一つの出力制御装置４０１が複数の出力装置４０（例えば一つの店舗システム１００内の全ての主力装置）を制御してもよい。この場合、出力制御装置４０１のストレージ１３０には、制御を担当する全ての出力装置４０についての制御内容を規定する情報を記憶しておく。更に、この場合、売り上げ管理装置３０に出力制御装置４０１の役割を兼ねさせてもよい。要するに、受信手段１１２および制御手段１１４は店舗システム１００内のいずれの装置に実装されてもよい。
また、インターネット６０に替えて、店舗内ＬＡＮ５０を介して出力制御装置４０１と注文管理装置９０とが接続されていてもよい。
【００５３】
また、注文管理装置９０の機能と出力制御機能（出力制御装置４０１）の機能は一つの装置に実装されていてもよい。この場合、店舗情報テーブルと出力制御テーブルは一つのテーブルに統合されてもよい。例えば、各店舗システム１００から出力制御装置４０１の機能を省略し、当該機能を注文管理装置９０に集約することができる。逆に、注文先可能な店舗（店舗システム１００）が一つのみである場合は、注文管理装置９０を省略する替わりに、注文管理装置９０が有する注文情報を記憶する機能を店舗システム１００内のいずれかの装置に実装すればよい。
【００５４】
図１０は、本発明の他の実施例に係るオーダリングシステム１Ａの概要を示す。この例では、注文情報の出力装置４０へ選択的に通知する機能を店舗システム１００の外部に設けたものである。具体的には、このシステムは、出力制御装置４０１に替えて出力制御装置４０１Ａを、注文管理装置９０に替えて注文管理装置９０Ａを有する点で、店舗システム１００とは異なっている。
注文管理装置９０Ａは、ユーザ端末７０-１、７０-２、または注文代行業者サーバ８０から送信された注文情報を受信して記憶する機能と、オーダリングシステム１Ａに設けられた複数の出力装置４０のうち当該注文情報（あるいは当該注文情報そのものではなく当該注文情報に基づいて生成される情報）の出力先となるべき１以上の出力装置４０を決定する機能とを有する。
【００５５】
図１１は、注文管理装置９０Ａの機能構成を示す。注文管理装置９０Ａは、制御手段１１４に替えて制御手段１１４Ａを有する点で、注文管理装置９０Ａと異なる。
注文管理装置９０Ａには、図１２に示すように、店舗ごとに、注文情報と出力先の出力装置４０を指定する情報とを記述したテーブルを格納しておき、制御手段１１４Ａは、このテーブルを参照し、受信した注文情報から基づいて出力すべき出力装置４０を決定する。そして、注文情報から特定された店（店舗システム１００）の出力制御装置４０１Ａに注文情報および出力先情報をセットで送信する。出力制御装置４０１Ａは、注文管理装置９０Ａから注文情報を受信すると、当該出力先のみへ当該注文情報を送信する。具体的には、当該装置のみに注文情報および出力命令を送信してもよいし、注文情報および出力命令に宛先の４０の識別情報を内包させ情報を同報送信し、受け取った各４０にて自装置の識別情報を認識した場合に自装置宛の命令であると認識させてもよい。この態様においては、１００において、注文情報の受付や転送を担う装置を一つ設ければ済む。
【００５６】
図１３は、オーダリングシステム１Ａの動作例を示す。図９に示した動作例と異なるのは、９０Ａにおいて、注文情報の出力先の出力装置４０が決定される点（ＳＢ１５０Ａ）、および決定された出力装置４０に注文情報および出力命令が出力制御装置４０１Ａを介して送信される点（ＳＢ１６０Ａ）である
【００５７】
店舗の稼働状況を示す情報を取得する取得手段を１００内に設け、制御手段１１４（１１４Ａ）は、店舗の稼働状況を考慮して出力装置４０を選択してもよい。店舗の稼働状況を示す情報の具体例としては、キッチンＣにて調理中の料理の品数または量が挙げられる。あるいは、店舗担当者の動作や発話をカメラやマイクによって取得することで、店舗の稼働状況を推定してもよい。具体的には、出力制御テーブルの制御内容において、注文情報の各出力装置かの出力の可否と店舗の稼働状況を示す情報とを関連付けて記憶しておく。
例えば、飲み物または料理については、キッチンＣにて調理中の料理の数が予め定められた閾値を上回っている場合（またはキッチンＢにて調理中の簡易メニューの数が予め定められた閾値を下回っている場合）には、料理に関する注文情報の出力先として例外的に出力装置４０−２が選択されるようにする。
【００５８】
出力先の店舗（および出力先の装置）を選定する際において、選択対象の出力装置が複数の店舗（店舗システム１００）に跨っていてもよい。この場合、第１の店舗（店Ｘ）に設けられた出力装置を優先的に選択し、例えば第１の店舗において注文品の提供が実行できない場合、第２の店舗（本実施例では、店Ｙ）に設けられた出力装置のなかから、受信手段１１２により受信された注文情報の出力先を選択してもよい。このような態様によれば、例えば自店では対応できない特殊メニューに関する注文を受けた場合、または注文品の材料が切れている場合に近くの系列店の協力を受けることが可能になる。
具体的には、注文管理装置９０Ａの有する出力制御テーブルにおいて、注文品に対応付けて、他の店舗に設けられた１以上のキッチンプリンタやキッチンディスプレイなどの出力装置（あるいはこれら複数の出力装置への出力を制御する装置）のアドレスを記述しておく。他方、各１００においては、出力制御装置４０１等に受信した注文品の提供が可能か否かを判定する機能および、提供ができないと判定した場合は注文を拒否する旨を９０Ａに通知する機能を設ける。
注文管理装置９０Ａは、１００から注文品の提供ができない旨の通知を受けると、出力制御テーブルに記述された他の注文受入れ先の店舗を特定し、該特定した店舗の装置（出力装置４０、出力制御装置４０１（４０１Ａ））に対して注文情報を転送する。
あるいは、注文品の提供が不可能である旨や提供が可能か否かの情報については、注文情報の受信に先立って１００から９０Ａに通知しておき、注文管理装置９０Ａは当該通知を用いて注文情報の転送先を決定してもよい。
【００５９】
上記実施例では、出力制御装置４０１（４０１Ａ）または注文管理装置９０Ａのプロセッサ１１０を、受信手段１１２および制御手段１１４として機能させる制御プログラムがストレージ１３０に予めインストールされていた。しかし、１以上のコンピュータ（プロセッサ）に、注文品を少なくとも示す注文情報を受信する受信ステップと、店舗に設けられた複数の出力装置から、前記受信手段により受信された注文情報の示す注文品に対応して選択される１以上の出力装置にて注文情報が出力されるように、出力を制御する制御ステップと、を実行させるプログラムを事後的に提供してもよい。なお、このようなプログラムの具体的な提供態様としては、ＣＤ−ＲＯＭなどのコンピュータ読み取り可能な記録媒体に該プログラムを書き込んで配布する態様、またはインターネットなどの電気通信回線経由のダウンロードにより配布する態様が挙げられる。
【００６０】
本発明は、例えば衣服やアクセサリーの販売店など、飲食店以外の店舗内に構築されるオーダリングシステムに本発明を適用してもよいし、マッサージ店やエステ店等、顧客の求めに応じて有料でサービスを提供する店舗内に構築されるオーダリングシステムに本発明を適用してもよい。換言すると、本発明における「注文」(「注文品」)とは、販売される有形物である商品のほか、顧客の求めに応じて提供される無体物であるサービスなども含む概念であって、顧客から依頼されたいかなる内容も含む。また、注文内容を出力する装置が設けられる店舗は移動店舗であってもよいし、出力装置の設置場所や出力装置をチェックする従業員との関係は変動してもよい。
【００６１】
要するに、本発明に係る情報処理システムにおいて、注文の内容を少なくとも示す注文情報を受信するステップと、従業員によって使用される複数の出力装置のうち受信された当該注文内容に対応して選択された１以上の出力装置から注文情報が出力されるように出力を制御するステップとが実行されればよい。
【符号の説明】
【００６２】
１、１Ａ…オーダリングシステム、１００、１００−１、１００−２…店舗システム、２０…店舗端末、３０…売り上げ管理装置、４０−１〜４０−３…出力装置、４０１−１〜４０１−３…出力制御装置、５０…店舗内ＬＡＮ、６０…インターネット、７０−１、７０−２…ユーザ端末、８０…注文代行業者サーバ、９０、９０Ａ…注文管理装置、１１０…プロセッサ、１２０…メモリ、１３０…ストレージ、１４０…通信Ｉ／Ｆ部、１５０…バス、１０２、１１２…受信手段、１１４、１１４Ａ…制御手段、１０４…注文管理手段。
【図１】
2020201597.tif 000003
【図２】
2020201597.tif 000004
【図３】
2020201597.tif 000005
【図４】
2020201597.tif 000006
【図５】
2020201597.tif 000007
【図６】
2020201597.tif 000008
【図７】
2020201597.tif 000009
【図８】
2020201597.tif 000010
【図９】
2020201597.tif 000011
【図１０】
2020201597.tif 000012
【図１１】
2020201597.tif 000013
【図１２】
2020201597.tif 000014
【図１３】
2020201597.tif 000015